【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
物体側から像側へ向かって、前群と後群を配し、これら前群と後群の間に絞りを有し、全体として４枚の独立したレンズで結像系が構成される２群４枚構成であり、
前群は負・負・正のパワー配分を有し、負のパワーを持つ第１レンズ、負のパワーを持つ第２レンズ、正のパワーを持つ第３レンズの３枚のレンズで構成され、
後群は、正のパワーを持つ１枚の第４レンズからなり、
第２レンズの一方の面、および、第４レンズの像側面が非球面であり、
第１レンズのアッベ数：νｄ１、第２レンズのアッベ数：νｄ２、第３レンズのアッベ数：νｄ３、後群の第４レンズのアッベ数：νｄ４が、条件：
（１）  νｄ１≦４０
（２）  νｄ２≦２５
（３）  νｄ３≧６０
（４）  νｄ４≧６０
を満足し、１８０度を超える画角を有することを特徴とする広角レンズ。
【請求項２】
請求項１記載の広角レンズにおいて、
第１レンズの第１面から第４レンズの第２面までの距離：ＯＡＬ１、像面のイメージサークル：Ｉφが、条件：
（５）  ＯＡＬ１／Ｉφ≦２．６８
を満足することを特徴とする広角レンズ。
【請求項３】
請求項１または２記載の広角レンズにおいて、
少なくとも、最もパワーの強いレンズがガラスレンズであることを特徴とする広角レンズ。
【請求項４】
請求項１〜３の任意の１に記載の広角レンズをもつ光学系と、
画素が２次元に配列され、上記光学系により結像された被写体像を画像データに変換する撮像素子と、
この撮像素子からの画像データを記憶するメモリと、
このメモリから、指定された画角に応じた画像データを読出すメモリ出力制御回路と、
歪曲収差補正機能を有する第１の信号処理回路と、
倍率色収差補正機能を有する第２の信号処理回路と、
ＭＴＦ補正機能を有する第３の信号処理回路と、を有し、
上記第１〜第３の信号処理回路がそれぞれ、光学系の歪曲収差、倍率色収差、ＭＴＦ特性を補正する特性をもつことを特徴とする撮影装置。
【手続補正２】
【補正対象書類名】明細書
【補正対象項目名】００１６
【補正方法】変更
【補正の内容】
【００１６】
前群で発生する収差を有効に補正するため、後群にも非球面を用いる。後群は「１枚のレンズの像側面が非球面」である。
そうすると、前・後群を通じて非球面は各群に１面づつの２面ですませることができ、製造上のバラツキで光学性能が劣化することが少なく、より安定的な広角レンズの実現が可能になる。
【手続補正３】
【補正対象書類名】明細書
【補正対象項目名】００１７
【補正方法】変更
【補正の内容】
【００１７】
請求項１記載の広角レンズは、前群が「負のパワーを持つ第１レンズ、負のパワーを持つ第２レンズ、正のパワーを持つ第３レンズの３枚のレンズ」で構成され、後群が「１枚のレンズ」である第４レンズからなる２群４枚構成で、１８０度を超える画角を有するレンズ系として構成される。
【手続補正４】
【補正対象書類名】明細書
【補正対象項目名】００１８
【補正方法】変更
【補正の内容】
【００１８】
請求項１記載の広角レンズはまた、前群の第１レンズのアッベ数：νｄ１、第２レンズのアッベ数：νｄ2、第３レンズのアッベ数：νｄ3、後群の第４レンズのアッベ数：νｄ4が、条件：
（１）  νｄ１≦４０
（２）  νｄ２≦２５
（３）  νｄ３≧６０
（４）  νｄ４≧６０
を満足する。
【手続補正５】
【補正対象書類名】明細書
【補正対象項目名】００２０
【補正方法】変更
【補正の内容】
【００２０】
請求項１記載の広角レンズは、第１レンズの第１面から第４レンズの第２面（最も像側の面）までの距離：ＯＡＬ１、像面のイメージサークル：Ｉφが、条件：
（５）  ＯＡＬ１／Ｉφ≦２．６８
を満足することが好ましい（請求項２）。
【手続補正６】
【補正対象書類名】明細書
【補正対象項目名】００２２
【補正方法】変更
【補正の内容】
【００２２】
請求項１または２記載の広角レンズは「少なくとも、最もパワーの強いレンズが、ガラスレンズである」ことが好ましい（請求項３）。この発明の広角レンズを持つ撮影装置は、過酷な環境下での使用も考えられ、例えば、温度変化範囲が数十度にわたるような場合に、最もパワーの強いレンズがプラスチックレンズであると、温度変動でこのプラスチックレンズのパワーが大きく変化し、広角レンズの光学性能が劣化し易い。
【手続補正７】
【補正対象書類名】明細書
【補正対象項目名】００２３
【補正方法】変更
【補正の内容】
【００２３】
請求項３のように「最もパワーの強いレンズ」をガラスレンズとすることにより、このような「環境変動に起因する光学性能の劣化」を有効に軽減できる。特に、全部のレンズをガラスレンズとすれば、過酷な使用環境下でも光学性能の劣化を有効に防止できる。
【手続補正８】
【補正対象書類名】明細書
【補正対象項目名】００２４
【補正方法】変更
【補正の内容】
【００２４】
この発明の撮影装置は、光学系と、撮像素子と、メモリと、メモリ出力制御回路と、第１〜第３の信号処理回路を有する（請求項４）。
「光学系」は、上記請求項１〜３の任意の１に記載の広角レンズを有する。広角レンズとしては、例えば、後述の実施例１、２に記載のものを用いることができる。
「撮像素子」は、画素が２次元に配列され、光学系により結像された被写体像を画像データに変換する素子であり、具体的にはＣＣＤ等の各種エリアセンサを用いることができる。
【手続補正９】
【補正対象書類名】明細書
【補正対象項目名】００２９
【補正方法】変更
【補正の内容】
【００２９】
また、請求項３のように少なくとも「最もパワーの強いレンズ」をガラスレンズとすることにより、耐環境製が有効に向上し、苛酷な環境化での使用が可能となる。
【手続補正１０】
【補正対象書類名】明細書
【補正対象項目名】００３７
【補正方法】変更
【補正の内容】
【００３７】
即ち、図１、図５に示す実施の形態の広角レンズは、物体側から像側へ向かって、前群（第１レンズＬ１〜第３レンズＬ３）と後群（第４レンズＬ４）を配し、これら前群と後群の間に絞りＩを有し、全体として４枚の独立したレンズで結像系が構成され、前群は、負（第１レンズＬ１）・負（第２レンズＬ２）・正（第３レンズＬ３）のパワー配分を有し、後群（第４レンズＬ４）は正のパワーを有し、前群の物体側から第２番目に配されて負のパワーを持つ第２レンズＬ２の一方の面が非球面である。
また、図５に示す実施の形態である実施例２の広角レンズでは、後群の１枚のレンズ（第４レンズＬ４）の像側面も非球面である。
【手続補正１１】
【補正対象書類名】明細書
【補正対象項目名】００３８
【補正方法】変更
【補正の内容】
【００３８】
これら実施例１、２の広角レンズは、前群が負のパワーを持つ第１レンズＬ１、負のパワーを持つ第２レンズＬ２、正のパワーを持つ第３レンズＬ３の３枚のレンズで構成され、後群が１枚の第４レンズＬ４からなる２群４枚構成で、１８０度を超える画角（実施例１、２とも１９０度）を有する。
【手続補正１２】
【補正対象書類名】明細書
【補正対象項目名】００３９
【補正方法】変更
【補正の内容】
【００３９】
また、前群の第１レンズＬ１のアッベ数：νｄ１、第２レンズＬ２のアッベ数：νｄ２、第３レンズＬ３のアッベ数：νｄ３、後群の第４レンズＬ４のアッベ数：νｄ４は、条件：
（１）  νｄ１≦４０
（２）  νｄ２≦２５
（３）  νｄ３≧６０
（４）  νｄ４≧６０
を満足する（請求項１）。
【手続補正１３】
【補正対象書類名】明細書
【補正対象項目名】００４０
【補正方法】変更
【補正の内容】
【００４０】
さらに、第１レンズＬ１の第１面から第４レンズＬ４の第２面までの距離：ＯＡＬ１、像面のイメージサークル：Ｉφは、条件：
（５）  ＯＡＬ１／Ｉφ≦２．６８
を満足し（請求項２）、第１レンズＬ１〜第４レンズＬ４は、何れもガラスレンズである（請求項３）。因みに、最もパワーの強いレンズは第３レンズＬ３である。
なお、図１、図５において、符号ＣＧは撮像素子（ＣＣＤエリアセンサ）のカバーガラスを示す。
【手続補正１４】
【補正対象書類名】明細書
【補正対象項目名】００４１
【補正方法】変更
【補正の内容】
【００４１】
図９以下を参照して、請求項４記載の撮影装置の「信号処理部」を説明する。
図１２は、信号処理部の代表的な概略を示すブロック図である。
図示されない「広角レンズを用いた光学系」による結像光束は光センサ１２０に導光されてその受光面上に結像する。光センサ１２０としては「ＣＣＤ、ＭＯＳ型の撮像素子」などを、種類を問わず使用でき、ＲＧＢ原色系や補色系センサなどカラーセンサであればどのようなものでも用いることができる。